(57)【特許請求の範囲】
【請求項１】
鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、
前記ヨークは、板状の水平ヨーク部と、その水平ヨーク部の上下のそれぞれの面に前記送電線の線路方向と直角な方向に隔てた位置に設けられた複数の板状の垂直ヨーク部とを一体に有し、
前記水平ヨーク部は、その水平ヨーク部の前記送電線の線路方向と直角な方向の両側に前記がいし連側連結金具を取付けるためのがいし連側連結金具取付孔を有し、
前記垂直ヨーク部は、前記水平ヨーク部の両側のがいし連側連結金具取付孔の間において前記水平ヨーク部に設けられて、前記送電線の線路方向に沿って延在するとともに、前記送電線の線路方向に対して斜め状又は屈曲状に形成され、かつ、前記水平ヨーク部の中心を通る線路方向と平行な垂直面に対して対称形であり、なおかつ、前記垂直ヨーク部の前記送電線側に前記送電線側連結金具を取付けるための送電線側連結金具取付孔を有し、  前記ヨークには、アークホーン取付部が一体に設けてある、
ことを特徴とする耐張がいし装置。
【請求項２】
垂直ヨーク部の間隔は、がいし連側と送電線側の一方が他方よりも広くしてあることを特徴とする請求項１に記載の耐張がいし装置。
【請求項３】
垂直ヨーク部の間隔は、送電線側の間隔よりもがいし連側の間隔が狭くしてあることを特徴とする請求項１に記載の耐張がいし装置。
【請求項４】
垂直ヨーク部は、少なくとも送電線側部分が送電線の線路方向と平行であることを特徴とする請求項１，２又は３に記載の耐張がいし装置。
【請求項５】
アークホーン取付部は、水平ヨーク部における垂直ヨーク部の間の部分に設けてあることを特徴とする請求項１、２、３、又は４に記載の耐張がいし装置。
【発明の詳細な説明】
【技術分野】
【０００１】
本発明は、鉄塔に送電線を支持するための耐張がいし装置に関する。
【背景技術】
【０００２】
図７及び図８は、鉄塔に４導体を支持する従来の２種類の耐張がいし装置の一例を示す図である。図７は送電線７に耐張クランプ６及び連結金具５を介して連結されるヨーク（以下、ライン側ヨークという。）４Ａが固定ヨークである場合のものであり、同図（ａ）はその耐張がいし装置の平面図、（ｂ）は同じく右側面図である。図８は送電線７に耐張クランプ６及び連結金具５を介して連結されるライン側ヨーク４Ｂが半固定ヨークである場合のものであり、（ａ）は平面図、（ｂ）は右側面図である。
固定ヨークとは、ヨーク本体のがいし連側の連結金具との結合点と、ヨーク本体の送電線側の連結金具との結合点の間の距離が一定不変のものをいう。半固定ヨークとは、ヨーク本体に２連ヨークが枢着された回動可能な構造により、ヨーク本体とがいし連側の連結金具との結合点と、２連ヨークと送電線側の連結金具との結合点の間の距離が可変のものをいう。
【０００３】
図７に示す従来の固定ヨークを用いる耐張がいし装置Ａは、鉄塔１に接続されるヨーク（以下、アース側ヨークという。）２と、そのアース側ヨークに一端が結合されたがいし連３と、そのがいし連の他端に連結金具１０を介して連結されたライン側固定ヨーク４Ａと、そのライン側固定ヨークに結合された連結金具５と、その連結金具５に結合された耐張クランプ６とから構成されている。送電線７は、耐張クランプ６により一つの耐張がいし装置Ａに支持される。その固定された送電線７の耐張クランプ６から鉄塔１の方向に延びる部分はジャンパ線８として、鉄塔１を迂回し、その鉄塔の別の位置に取り付けられている他の耐張がいし装置の耐張クランプに締着される。そして、耐張がいし装置Ａのライン側固定ヨーク４Ａには、がいし連の電気的シールドの目的で使用されるアークホーン（以下、単にホーンという。）９と、ジャンパ装置が固定されるが、ホーンはがいし連側の連結金具１０に設けたホーン取付部１０ａにホーン９を取付けている。そして、ジャンパ装置は、固定ヨーク４Ａに設けたリンク１１を用いて取付けられる。
【０００４】
また、図８に示す従来の耐張がいし装置Ｂが用いる半固定ヨーク４Ｂは、がいし連のアース側ヨークと反対側のがいし連側に寄った位置で枢着されたヨーク本体４1 と、そのヨーク本体の両側にそれぞれ枢着された２連ヨーク４2 ，４3 とで構成され、各２連ヨークの両端部に連結金具５がそれぞれ結合されている。このライン側半固定ヨーク４Ｂの場合は、ヨーク本体４1 にホーン９とジャンパ装置（図示せず）が固定されるが、ホーン９はヨーク本体４1 に一体に形成された取付部にボルトナット等の固着具を用いて取付けられ、ジャンパ装置は、ヨーク本体４1 に設けたリンク１１を用いて取付けられる。
【特許文献１】特になし。
【発明の開示】
【発明が解決しようとする課題】
【０００５】
上述のように、上記従来の固定ヨーク４Ａの場合は、連結金具１０にホーン取付部１０ａを設けたものをヨークから延出するように取付けているから、ホーン取付部を設けるための距離分だけ耐張がいし装置の長さが長くなるという問題があった。
【０００６】
また、上記従来の半固定ヨーク４Ｂの場合は、ホーン９をヨーク本体４1 に直接に取付けるので、がいし連３と半固定ヨーク４Ｂの間の連結金具１０にホーン取付部を設ける必要がないため、耐張がいし装置の長さを短くすることができる。しかし、ヨーク本体４1 と２連ヨーク４2 ，４3 が枢着され、その２連ヨークに連結金具５が結合されているため、耐張がいし装置の連結工事において２連ヨークが回動し易いので、連結金具５を２連ヨーク４2 ，４3 に連結する緊線作業は、左右のバランスに注意しながら行う必要があるから容易ではなく、工事作業者に大きな負担となるという問題があった。
【０００７】
他方、支持される送電線の数が３以上用の従来のライン側固定ヨークにおいては、ヨークと送電線側の連結金具との結合点が３次元的に配置されるので、ヨークの形状構造は、各送電線から加わる張力及び張設されている送電線が風により揺れる際にヨークに加わる線路方向を軸とした場合の軸周り方向の回転力（ねじり力）に対して十分に耐え得るものである必要がある。さらに、耐張がいし装置の全長をできるだけ短くする要請に応える必要がある。
【０００８】
本発明は、上記の欠点を解決するためになされたものである。すなわち、本発明の課題は、耐張がいし装置の全長をできるだけ短くすることができ、緊線作業を容易に行うことでき、しかも、張力及びねじり力に十分に耐え得る強度を備え、なおかつ、ホーンをヨークに容易に取り付けることができるようにすることにある。
【課題を解決するための手段】
【０００９】
上記課題を解決するため、本発明は、鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、（ａ）前記ヨークは、板状の水平ヨーク部と、その水平ヨーク部の上下のそれぞれの面に前記送電線の線路方向と直角な方向に隔てた位置に設けられた複数の板状の垂直ヨーク部とを一体に有し、（ｂ）前記水平ヨーク部は、その水平ヨーク部の前記送電線の線路方向と直角な方向の両側に前記がいし連側連結金具を取付けるためのがいし連側連結金具取付孔を有し、（ｃ）前記垂直ヨーク部は、前記水平ヨーク部の両側のがいし連側連結金具取付孔の間において前記水平ヨーク部に設けられて、前記送電線の線路方向に沿って延在するとともに、前記送電線の線路方向に対して斜め状又は屈曲状に形成され、かつ、前記水平ヨーク部の中心を通る線路方向と平行な垂直面に対して対称形であり、なおかつ、前記垂直ヨーク部の前記送電線側に前記送電線側連結金具を取付けるための送電線側連結金具取付孔を有し、（ｄ）前記ヨークには、アークホーン取付部が一体に設けてあることを特徴としている（請求項１）。
【００１０】
垂直ヨーク部の間隔は、がいし連側と送電線側の一方が他方よりも広くしてあることが好ましい（請求項２）。
【００１１】
垂直ヨーク部の間隔は、送電線側の間隔よりもがいし連側の間隔が狭くしてあることが好ましい（請求項３）。
【００１２】
垂直ヨーク部は、少なくとも送電線側部分が送電線の線路方向と平行であることが好ましい（請求項４）。
【００１３】
ホーン取付部は、水平ヨーク部における垂直ヨーク部の間の部分に設けてあることが望ましい（請求項５）。
【発明の効果】
【００１４】
請求項１の発明によれば、次の効果が得られる。すなわち、
第１に、ヨークはホーン取付部を一体に有するので、ホーンをヨークとは別体の取付金具に取付ける場合に比し、耐張がいし装置の全長が著しく短くなる。第２に、ヨークは板状の水平ヨーク部と、その水平ヨーク部の上下のそれぞれの面に送電線の線路方向と直角な方向に隔てた位置に設けられた複数の板状の垂直ヨーク部とを一体に有してなる固定ヨークであるので、緊線作業時は安定性が高く、作業が容易である。第３に、上下の垂直ヨーク部は、送電線の線路方向に沿って延在するとともに、送電線の線路方向に対して斜め状又は屈曲状に形成され、かつ、水平ヨーク部の中心を通る線路方向と平行な垂直面に対して対称形であるので、垂直ヨーク部の水平ヨーク部に対する接続強度が各垂直ヨーク部においてバランス良く増加され、垂直ヨーク部は緊線作業時に送電線から垂直ヨーク部に加わる張力に対して耐えることができる。また、送電線を張設している通常時は、送電線が風により揺れる際に、水平ヨーク部に加わる線路方向を軸とした場合の軸周り方向の回転力（ねじり力）に対して垂直ヨーク部の形状により垂直ヨーク部及び水平ヨーク部が相互に強度を補う。第４に、ヨークは、水平ヨーク部と垂直ヨーク部の間が線路方向と線路方向に対して直角方向に開放された構造となるので、ヨークにホーンの直接取付が容易にできる。第５に、ヨークは形状が単純であるので、製造が容易であり、製造コストの低減が可能である。
【００１５】
請求項２の発明によれば、垂直ヨーク部の間隔は、がいし連側と送電線側の一方が他方よりも広くしてあるため、簡単な構造でありながら、送電線から加わる張力及びねじり力に十分に耐え得る強度を備えたヨークを提供することができる。
【００１６】
請求項３の発明によれば、垂直ヨーク部の間隔は、送電線側の間隔よりもがいし連側の間隔が狭くしてあるので、水平ヨーク部のがいし連側連結金具取付孔に取付けられるがいし連側連結金具は、耐張がいし装置が風などにより揺れる際に垂直ヨーク部に衝突せずに回動することができる。
【００１７】
請求項４の発明によれば、垂直ヨーク部の少なくとも送電線側部分が送電線の線路方向と平行であるので、送電線から加わる張力に対するヨークの強度が確実に増強されるとともに、送電線側連結金具のヨークとの連結性が良好となる。
【００１８】
請求項５の発明によれば、ホーン取付部は水平ヨーク部における垂直ヨーク部の間の部分に設けてあるので、ホーン取付部に取り付けられるホーンの基部間の距離が短くなることにより、ホーンにより形成されるシールドエリアが広くなるので、シールド効果が向上する。
【発明を実施するための最良の形態】
【００１９】
次に、本発明の実施の形態について図１ないし図６の図面を参照しながら説明する。
図１は本発明に係る耐張がいし装置の一例を示す図であり、（ａ）は平面図、（ｂ）は右側面図である。図２は同装置において用いられているライン側固定ヨークの展開図であり、（ａ）は正面図、（ｂ）は平面図、（ｃ）は左側面図である。図３は図１（ａ）（ｂ）のヨークを中心とする部分拡大図であり、（ａ）は平面図、（ｂ）は右側面図である。図４ないし図６は他の実施の形態を示す図である。
【００２０】
本明細書においては、相対する２つの鉄塔の間に送電線を張設するための耐張がいし装置に関して、その送電線張設方向つまり自鉄塔から相手鉄塔を臨んだ方向を線路方向と定義し、その線路方向に対して上空側と地面側の方向を上下方向と定義し、線路方向に対して水平方向を左右方向と定義する。
【００２１】
図１において、４Ｎは本発明により改良された送電線数４本用のライン側固定ヨークである。この固定ヨーク４Ｎは、図２及び図３に示すように、板状の水平ヨーク部４０１と、その水平ヨーク部の上下のそれぞれの面の送電線の線路方向に対して直角方向に隔てた位置に設けられた複数の板状の垂直ヨーク部４０２とを一体に有している。そして、水平ヨーク部４０１の送電線の線路方向に対して直角方向の両側に、がいし連に接続された連結金具（以下、がいし連側連結金具という。）１０を取付けるためのがいし連側連結金具取付孔４０３が設けてあり、各垂直ヨーク部４０２の送電線側に、送電線を引留める耐張クランプ６に接続された連結金具（以下、送電線側連結金具という場合がある。）５を取り付けるための送電線側連結金具取付孔４０４が設けてある。
図３において、３０１はがいし連側連結金具、５０１は送電線側連結金具である。
【００２２】
垂直ヨーク部４０２は、水平ヨーク部４０１の上下にそれぞれ一対設けられ、各垂直ヨーク部は、水平ヨーク部の線路方向に対して直角方向に隔てた位置に設けてある。
そして、図１、図２及び図３に示された実施例では、上下の各一対の垂直ヨーク部４０２が、水平ヨーク部４０１に対して上下対称形であって、かつ、水平ヨーク部の中心を通る線路方向と平行な垂直面に対しても対称形に形成されている。また、垂直ヨーク部４０２の送電線側部分が送電線の線路方向と平行に形成されているとともに、がいし連側の間隔は送電線側の間隔よりも狭く形成されている。
一対の垂直ヨーク部４０２を、両側のがいし連側連結金具取付孔４０３の間において、水平ヨーク部４０１の線路方向に対して直角方向に隔てた位置に設けることにより、その一対の垂直ヨーク部４０２の間にホーン取付スペースを確保し、その一対の垂直ヨーク部４０２の間において水平ヨーク部４０１にホーン取付部４０５が設けてある。
【００２３】
また、図１、図２及び図３に示された実施例においては、一対の垂直ヨーク部４０２を、送電線側端部の間隔よりもがいし連側端部の間隔が狭くなるように、線路方向に対してほぼく字形又はへ字形に屈曲状に形成してあり、その垂直ヨーク部４０２のがいし連側部分の間にホーン取付部４０５が設けてある。
【００２４】
好ましい実施の形態においては、水平ヨーク部４０１の送電線側の端部中央にジャンパ装置取付部４０６が設けられている。
【００２５】
この実施例によるヨーク４Ｎは、水平ヨーク部４０１の上下に複数の垂直ヨーク部４０２が一体に形成してなるので、構造が極めて簡単であるから、一体製造が容易であり、製造コストの低減効果が得られる。また、垂直ヨーク部４０２が線路方向に対して屈曲状に形成してあるので、水平ヨーク部と複数の垂直ヨーク部が次のような張力及びねじり力に耐え得る相互補強作用効果が奏される。すなわち、このヨークを用いて緊線作業を行う場合は、水平ヨーク部の両側ががいし連に連結されているヨークの上側の一対の垂直ヨーク部４０２に送電線に結合してある連結金具５０１を先ず連結するので、送電線から上側の一対の垂直ヨーク部に大きな荷重が加わり、ヨーク４Ｎは強制的にお辞儀をさせられるような態様で傾く。この時、その荷重は一対の垂直ヨーク部４０２から水平ヨーク部４０１に伝わるが、垂直ヨーク部４０２の送電線側が送電線の線路方向と平行に形成されているので、送電線から加わる張力に対して大きな強度を有する。また、垂直ヨーク部４０２は線路方向に対して屈曲状に形成されているため、垂直ヨーク部４０２と水平ヨーク部４０１が相互に補強し合うので、ヨーク４Ｎはこのような荷重に対して十分に耐えることができる。
また、緊線後に送電線が風を受けて揺れると、水平ヨーク部４０１には線路方向を軸としてその軸周りの回転力（ねじり力）が加わるが、垂直ヨーク部４０２は線路方向に対して屈曲状に形成されているので、ヨーク４Ｎはこのようなねじり力に対しても大きな強度を備えている。
ヨーク４Ｎは、さらに、水平ヨーク部４０１の上下に複数の垂直ヨーク部４０２が一体に形成してなり、上下左右方向に開放されているので、ホーン取付部４０５に対してホーン９をボルトナットなどで容易に直接取り付けることができる。
【００２６】
図４に示したライン側固定ヨーク４Ｎ2 は、がいし連側連結金具取付孔４０３を有する水平板４０１の上下に送電線側連結金具取付孔４０４を有する２枚の垂直ヨーク部４０２を送電線の線路方向に対して直角方向に隔てた位置に設け、かつ、垂直ヨーク部４０２の送電線側端部間距離Ｌ１よりも垂直ヨーク部４０２のがいし連側端部間距離Ｌ２が小さくなるように逆ハ字形に斜めに接合することにより、水平板４０１のがいし連側連結金具取付孔４０３と垂直ヨーク部４０２の間を広くして、その間にホーン取付スペースを確保し、そこにホーン取付部４０５を設けた例である。
【００２７】
図５（ａ）に示したライン側固定ヨーク４Ｎ3 は、基本形状が図４のものと同じである場合に、垂直ヨーク部４０２の送電線側端部間距離Ｌ1 は図４のＬ1 と同じで、垂直ヨーク部４０２のがいし連側端部間距離Ｌ2´を図４のものＬ2 よりも若干大きくし、左右の 垂直ヨーク部４０２の間を広くして、その広くした水平ヨーク部にホーン取付部４０５を設けた例である。
図５（ｂ）に示したライン側固定ヨーク４Ｎ4 は、基本形状が図４のものと同じである場合に、上下それぞれ一対の垂直ヨーク部４０２を線路方向に対して斜め状に形成して、垂直ヨーク部４０２の送電線側端部間距離Ｌ1 は図４の距離Ｌ1 と同じで、垂直ヨーク部４０２のがいし連側端部間距離Ｌ3 をＬ1 よりも大きくなるように、ハ字形に接合することにより、垂直ヨーク部４０２の間をがいし連側において広くして、その間にホーン取付スペースを確保し、そこにホーン取付部４０５を設けた例である。
【００２８】
図６（ａ）（ｂ）に示されたライン側固定ヨーク４Ｎ5 ，４Ｎ6 は、水平ヨーク部４０１の上側及び下側に設けられるそれぞれ一対の垂直ヨーク部４０２を、水平断面形状がクランク状に屈曲して、垂直ヨーク部４０２をがいし連側又は送電線側の一方側が狭く、他方側が広くなるように形成して、それによって水平ヨーク部の広げられた部分にホーン取付部４０５を設けた例である。
【００２９】
図４、図５及び図６に示されたいずれの例も、ヨークにホーン取付部が一体に設けられ、開放構造であるから、ホーンを容易に直接取り付けることができる点で共通している。
【００３０】
図４、図５（ａ）及び図６（ｂ）に示されるように、左右の垂直ヨーク部４０２をその間ががいし連側が狭くなるように水平ヨーク部４０１に設けた場合は、それら水平ヨーク部４０１のがいし連側連結金具取付孔４０３の周囲に垂直ヨーク部４０２との間に空隙ができるため、がいし連側連結金具取付孔４０３に対するがいし連側連結金具の取り付けが容易になり、また、がいし連側連結金具取付孔４０３に取り付けられるがいし連側連結金具は、送電線などが揺れる際に、垂直ヨーク部に邪魔されることなく、そのがいし連側連結金具取付孔４０３を中心として回動可能である。従って、がいし連側連結金具の破損が防止される。
【００３１】
また、図５（ｂ）と図６（ａ）の例のように、垂直ヨーク部ががいし連側連結金具取付孔４０３と送電線側連結金具取付孔４０４とを結ぶ線に近い位置、すなわち、がいし連と送電線からヨークに加わる張力の伝達方向に近い位置に設けられるので、これらの垂直ヨーク部はヨーク全体の張力及びそれらに基づく捩りモーメントに対する強度が一層増大される。
【００３２】
以上の実施の形態は、本発明を送電線数４本用のライン側固定ヨークに適用した場合のものであるが、本発明は、送電線数が３本以上用のライン側固定ヨークにも同様に適用可能である。
【図面の簡単な説明】
【００３３】
【図１】本発明に係る耐張がいし装置の一例を示す図であり、（ａ）は平面図、（ｂ）は右側面図。
【図２】同装置において用いられているライン側固定ヨークの展開図であり、（ａ）は正面図、（ｂ）は平面図、（ｃ）は左側面図。
【図３】図１（ａ）（ｂ）のヨークを中心とする部分拡大図であり、（ａ）は平面図、（ｂ）は右側面図。
【図４】他の実施の形態を示す図２と同様の展開図。
【図５】他の実施の形態を示す図。
【図６】さらに他の実施の形態を示す図。
【図７】従来の固定ヨークを用いる耐張がいし装置を示す図。
【図８】従来の半固定ヨークを用いる耐張がいし装置を示す図。
【符号の説明】
【００３４】
ＮＡ      耐張がいし装置
２        アース側ヨーク
３        がいし連
４Ｎ      ライン側固定ヨーク
４Ｎ１〜４Ｎ６  ライン側固定ヨーク
４０１    水平ヨーク部
４０２    垂直ヨーク部
４０３    がいし連側連結金具取付孔
４０４    送電線側連結金具取付孔
４０５    ホーン取付部
４０６    ジャンパ装置取付部
５        送電線側連結金具
９        ホーン（アークホーン）
１０      がいし連側連結金具
【図１】
0003816939.tif 000002
【図２】
0003816939.tif 000003
【図３】
0003816939.tif 000004
【図４】
0003816939.tif 000005
【図５】
0003816939.tif 000006
【図６】
0003816939.tif 000007
【図７】
0003816939.tif 000008
【図８】
0003816939.tif 000009